(57)【特許請求の範囲】
【請求項１】
コンバインの後部に装着する排藁カッター装置（１７）の上方に切換カバー（２１）を配置し、該切換カバー（２１）の上方に排藁チェーン（１９）を配置して、前記切換カバー（２１）の開閉操作で、搬送される排藁を切断またはそのまま圃場へ放出可能とする構成において、前記排藁チェーン（１９）の下方に位置する切換カバー（２１）に切欠（２１ａ）を設け、該切換カバー（２１）上にスライドドア（３２）を摺動可能に設け、該スライドドア（３２）で切欠（２１ａ）を開閉可能とし、前記切換カバー（２１）の開閉と、該スライドドア（３２）の開閉とを連動し、該切換カバー（２１）の開閉操作部と、該スライドドア（３２）の開閉操作部をワイヤーを介して連結するとともに、該連結部材を運転席（１４）近傍に配置した遠隔操作レバー（４６）と連結した構成において、該スライドドア（３２）を開閉操作するアーム（５１）を設け、該アーム（５１）の基部アーム（５１ｃ）に連結軸（５３）を設け、該連結軸（５３）は排藁カッター装置（１７）より後方に配置した支持パイプ（５５）に回転自在に枢支し、該連結軸（５３）に回動アーム（５６）を固設し、該回動アーム（５６）にワイヤーを連結して、遠隔操作レバー（４６）と連動操作可能とし、該スライドドア（３２）上に枢支ピン（５０）を上方に突設し、該枢支ピン（５０）に前記アーム（５１）に設けた長孔（５１ａ）を挿入し、該枢支ピン（５０）が長孔（５１ａ）内を摺動可能とし、前記アーム（５１）は、先端アーム（５１ｂ）と基部アーム（５１ｃ）よりなり、該先端アーム（５１ｂ）と基部アーム（５１ｃ）を、蝶番（５１ｄ）によって回動自在に連結し、該切換カバー（２１）を上方へ回動した時に、前記先端アーム（５１ｂ）も同時に上方に回動し、前記枢支ピン（５０）と蝶番（５１ｄ）の部分で捩じれを吸収できるように構成したことを特徴とする排藁カッター装置の切換カバー。
【請求項２】
請求項１記載の排藁カッター装置の切換カバーにおいて、前記蝶番（５１ｄ）は、切換カバー（２１）を上方へ回動し「開」位置で、スライドドア（３２）が「開」位置のとき左右方向、つまり、切換カバー（２１）の回動支点軸（３１）と平行となるように、前記アーム（５１）に対して斜めに取り付けたことを特徴とする排藁カッター装置の切換カバー。
【請求項３】
請求項２記載の排藁カッター装置の切換カバーにおいて、前記切換カバー（２１）を上方へ回動せず「閉」位置で、該スライドドア（３２）を「閉」方向にスライドさせた状態において、蝶番（５１ｄ）が回動支点軸（３１）の近傍に位置するように構成したことを特徴とする排藁カッター装置の切換カバー。
【発明の詳細な説明】
【０００１】
【発明の属する技術分野】
本発明は、コンバインの後部に付設される排藁カッター装置に、排藁切断と非切断状態での排藁放出を切り換える切換カバーの構成に関する。
【０００２】
【従来の技術】
従来から、コンバイン後部に設ける排藁カッター装置の上方には切換カバーが配置され、その開閉により、脱穀装着によって脱穀された後の排藁の通路を切り換えて、該カッター装置の上方を閉じると、排藁はそのまま機体後方へ放出され、該切換カバーを上方に回動してカッター装置の上方を開放すると、排藁はカッター装置内へ導かれ、排藁は切断されて圃場に放出されていた。
【０００３】
【発明が解決しようとする課題】
しかし、従来の切換カバーでは、その上方に排藁を搬送する排藁チェーンが配置されており、排藁を切断するために切換カバーを上方へ回動して開けた場合、切換カバーの上端が排藁チェーンと干渉する場合があった。例えば、カッター装置で排藁が詰まると、排藁が上方に溢れて切換カバーを持ち上げて、または、後方へ押して、切換カバーの上端が排藁チェーンに当たり、該排藁チェーンの回動によって、切換カバーが損傷することがあった。
【０００４】
このような不具合をなくす構成としては、図８に示すように、切換カバーを前カバー１と後カバー２の前後に分割して、切換カバーの前後長を短くし、切断せずに圃場へ放出する場合には、カッター装置の入口をあたかも一枚のカバーで塞いでいるように、前カバー１の上面と後カバー２の前上面を重ねて位置させ、排藁を切断して圃場に放出する場合には、前カバー１は下方へ回動するようにし、後カバー２は従来と同様に上方へ回動して、排藁チェーン３と切換カバーの干渉を防止していた。しかし、二枚のカバーは互いに反対方向へ回動する必要があるため、リンク機構は複雑にならざるを得ない。
【０００５】
【課題を解決するための手段】
本発明は、以上のような課題を解決するために、次のような手段を用いる。
請求項１においては、コンバインの後部に装着する排藁カッター装置（１７）の上方に切換カバー（２１）を配置し、該切換カバー（２１）の上方に排藁チェーン（１９）を配置して、前記切換カバー（２１）の開閉操作で、搬送される排藁を切断またはそのまま圃場へ放出可能とする構成において、前記排藁チェーン（１９）の下方に位置する切換カバー（２１）に切欠（２１ａ）を設け、該切換カバー（２１）上にスライドドア（３２）を摺動可能に設け、該スライドドア（３２）で切欠（２１ａ）を開閉可能とし、前記切換カバー（２１）の開閉と、該スライドドア（３２）の開閉とを連動し、該切換カバー（２１）の開閉操作部と、該スライドドア（３２）の開閉操作部をワイヤーを介して連結するとともに、該連結部材を運転席（１４）近傍に配置した遠隔操作レバー（４６）と連結した構成において、該スライドドア（３２）を開閉操作するアーム（５１）を設け、該アーム（５１）の基部アーム（５１ｃ）に連結軸（５３）を設け、該連結軸（５３）は排藁カッター装置（１７）より後方に配置した支持パイプ（５５）に回転自在に枢支し、該連結軸（５３）に回動アーム（５６）を固設し、該回動アーム（５６）にワイヤーを連結して、遠隔操作レバー（４６）と連動操作可能とし、該スライドドア（３２）上に枢支ピン（５０）を上方に突設し、該枢支ピン（５０）に前記アーム（５１）に設けた長孔（５１ａ）を挿入し、該枢支ピン（５０）が長孔（５１ａ）内を摺動可能とし、前記アーム（５１）は、先端アーム（５１ｂ）と基部アーム（５１ｃ）よりなり、該先端アーム（５１ｂ）と基部アーム（５１ｃ）を、蝶番（５１ｄ）によって回動自在に連結し、該切換カバー（２１）を上方へ回動した時に、前記先端アーム（５１ｂ）も同時に上方に回動し、前記枢支ピン（５０）と蝶番（５１ｄ）の部分で捩じれを吸収できるように構成したものである。
【０００６】
請求項２においては、請求項１記載の排藁カッター装置の切換カバーにおいて、前記蝶番（５１ｄ）は、切換カバー（２１）を上方へ回動し「開」位置で、スライドドア（３２）が「開」位置のとき左右方向、つまり、切換カバー（２１）の回動支点軸（３１）と平行となるように、前記アーム（５１）に対して斜めに取り付けたものである。
【０００７】
請求項３においては、請求項２記載の排藁カッター装置の切換カバーにおいて、前記切換カバー（２１）を上方へ回動せず「閉」位置で、該スライドドア（３２）を「閉」方向にスライドさせた状態において、蝶番（５１ｄ）が回動支点軸（３１）の近傍に位置するように構成したものである。
【０００８】
【発明の実施の形態】
次に本発明の実施の形態を説明する。図１は本発明の切換カバーを装備したコンバインの全体側面図、図２は切換カバーを開けた状態のカッター装置の側面図、図３は手動でスライドカバーを開閉するようにした切換カバーの後方斜視図、図４は同じく側面図、図５は切欠を閉じた状態の切換カバーの平面図である。
【０００９】
図１において、コンバインの全体構成から説明する。機体前部に刈取引き起し装置１０を突出し、その後部に搬送装置１１を介して脱穀装置１２が配置され、該脱穀装置１２の進行方向右側には選別後の籾を貯留するトップサッカ１３が配置され、その前部に運転席１４や操向レバー１５や変速レバー等を配置した運転部１６が配設されている。そして、前記脱穀装置１２及びトップサッカ１３の後部に排藁カッター装置１７が配置されている。
【００１０】
このような構成で、刈取引き起し装置１０で穀稈を引き起こして、株元を切断し、搬送装置１１によって脱穀装置１２へ搬送し、該脱穀装置１２では側部に配置したフィードチェーンによって穀稈の株元を挟持して後方へ搬送しながら脱粒し、脱粒後の籾や塵等はその下方の選別装置で選別し、精粒はトップサッカ１３へ搬送される。また、脱粒後の排藁が排藁チェーン１９によって排藁カッター装置１７へ搬送されるのである。
【００１１】
該排藁カッター装置１７は図２に示すように、左右の側板２０・２０の間に低速回転軸２４と高速回転軸２５が前後平行に横架されている。前記低速回転軸２４上に一定間隔毎に低速回転刃２６・２６・・・が配設され、高速回転軸２５に一定間隔毎に高速回転刃２７・２７・・・が配設されている。該低速回転刃２６・２６・・・と高速回転刃２７・２７・・・は交互に配置されて、側面視で外周の一部が重複するように配置し、両者の間に排藁を搬送することで低速回転刃２６・２６・・・と高速回転刃２７・２７・・・の回転によって設定長さに切断されるようにしている。
【００１２】
そして、低速回転軸２４と高速回転軸２５との上方は開放された投入口２３とされ、本発明の切換カバー２１で塞ぐ構成としている。該切換カバー２１の後部には排藁集束装置２２（図１）が配置され、切断せずに放出する場合に、一定量の排藁が集束杆３０上に溜まると、その重みによって下方へ回動して、排藁を圃場へ放出し、その後バネ等の弾性体の作用によって元の位置に戻る構成としている。そして、前記切換カバー２１の後辺部には回動支点軸３１が左右方向に固定され、該回動支点軸３１の両側が左右の側板２０後部に回動自在に枢支され、該切換カバー２１は前高後低となるように配設され、その大きさは投入口２３を閉じられる大きさとしている。
【００１３】
次に、切換カバー２１を直接回動して切り換える構成について説明する。図３に示すように、切換カバー２１の左右中途部の排藁チェーン１９が位置する下方には、前方より切り欠いた切欠２１ａが設けられ、該切換カバー２１を上方へ回動したときに排藁チェーン１９と当接（干渉）しないようにしている。
【００１４】
そして、前記切欠２１ａはスライドドア３２によって開閉可能としている。該スライドドア３２は前記切欠２１ａを丁度覆い隠す程度の大きさとしており、該スライドドア３２の前辺部３２ａと後辺部３２ｂは切換カバー２１の前辺部と後辺部に嵌合して、左右方向にスライド可能でありながら抜けないようにしている。ただし、切換カバー２１とスライドドア３２の間の摺動部にコロやベアリング等を介装して摺動抵抗を小さくすることもできる。
【００１５】
該スライドドア３２の上面には開閉レバー３３が固定され、該開閉レバー３３は板バネで構成されてスライドドア３２から一側（本実施例では進行方向右側）に突出され、この突出した部分の開閉レバー３３の下面より下方にピン３４が突設されている。一方、切換カバー２１には、前記スライドドア３２が「閉」位置のときに前記開閉レバー３３のピン３４が位置する部分にピン孔２１ｂが開口され、前記スライドドア３２が「開」位置のときに前記開閉レバー３３のピン３４が位置する部分にピン孔２１ｃが開口されている。
【００１６】
このような構成において、切換カバー２１を下方に回動して投入口２３を閉じる場合には、スライドドア３２を左方へスライドさせて切欠２１ａを塞ぐ「閉」位置までスライドさせると、開閉レバー３３のピン３４がピン孔２１ｂに嵌入して、固定することができる。また、切換カバー２１を上方に回動して投入口２３を開ける場合には、開閉レバー３３を上方へ持ち上げることによって、開閉レバー３３はバネ材で構成されているので、変形してピン３４をピン孔２１ｂが抜くことができ、固定状態を解除して、スライドドア３２は摺動自在となり、右方へスライドさせて前記ピン３４をピン孔２１ｃに嵌入させると、切欠２１ａはスライドドア３２によって覆われず「開」状態となり、ピン３４によって固定され、切換カバー２１を上方へ回動したときには切欠２１ａの部分に排藁チェーン１９が位置し、両者は干渉しないのである。このように開閉レバー３３を持ち上げて左右にスライドさせることによって、容易に切欠２１ａを開閉することが可能となる。但し、前記とは逆に、ピン３４を切換カバー２１側に、ピン孔を開閉レバー３３側に設ける構成とすることも可能である。
【００１７】
また、切欠２１ａをスライドドア３２で閉じる代わりに、切欠２１ａ上に排藁チェーン１９と略平行状に鋼線や杆等の櫛状部材やガイドプレートを配置して、その上を排藁が通過するように構成することも可能である。例えば、図７に示すように、切換カバー２１の後部の後カバー２８上に複数のガイドプレート２９ａ・２９ｂ・２９ｃの後部を回動自在に枢支し、該ガイドプレート２９ａ・２９ｂ・２９ｃの後端を連結杆３７で枢結し、該連結杆３７の一端はバネ３８に係止されてガイドプレート２９ａ・２９ｂ・２９ｃを切欠２１ａ上方を覆う方向に付勢し、連結杆３７の他端はフック３７ａとして、後カバー２８上には該フック３７ａを係止するためのストッパーピン３９ａ・３９ｂが突出されている。
【００１８】
このようにして、切換カバー２１を上方へ回動して排藁を切断するときには、連結杆３７を右方へ引っ張りガイドプレート２９ａ・２９ｂ・２９ｃを後方へ回動して、フック３７ａをストッパーピン３９ｂに係止して収納した状態に維持する。また、切断せずに放出する場合には、切換カバー２１を下方へ回動して、フックを３７ａをストッパーピン３９ｂから外し、ガイドプレート２９ａ・２９ｂ・２９ｃはバネ３８の付勢力によって切欠２１ａ上方まで回動し、フック３７ａをストッパーピン３９ａに係止するのである。
【００１９】
次に、切換カバー２１を手動で切り換える構成について、図４より説明する。前記回動支点軸３１の端部を右側板２０より右側方に突設し、その端部に切換レバー３５を固設し、該切換レバー３５は板バネより構成して、該切換レバー３５の中途部にピン孔３５ａを開口している。一方、切換カバー２１が閉じたときに前記切換レバー３５のピン孔３５ａが位置する右側板２０にはピン３６ａが突設され、切換カバー２１が開いたときに前記切換レバー３５のピン孔３５ａが位置する右側板２０にはピン３６ｂが突設されている。
【００２０】
こうして、「閉」位置から開く時には、切換レバー３５を手前に引っ張ってピン孔３５ａをピン３６ａから抜き、前方へ回動すると、切換カバー２１は上方へ回動され、ピン孔３５ａをピン３６ｂに嵌合することによって「開」位置で固定することができる。この状態から閉じる場合には逆の操作をすればよい。ただし、前記切換レバー３５やスライドドア３２の固定構造は、前記切換レバーのピン孔とピン、及び、開閉レバーのピンとピン孔に限定するものではなく、フックをピンや係合孔等に係合したり、ネジ止めしたり、リングをピンに係合したり、ワンタッチ係止具を利用したりすることも可能である。
【００２１】
次に、前記切換カバー２１の開閉とスライドドア３２の開閉をワイヤーを用いて遠隔操作可能とする構成について説明する。図２に示すように、右側板２０より外側方に突出した回動支点軸３１上には「へ」字状に構成した回動アーム４０の中途部が固設され、該回動アーム４０の一端（後端）には引っ張りバネ４１の一端が係止され、該引っ張りバネ４１の他端は付勢力調節ネジ４２に係止され、該付勢力調節ネジ４２は側板２０より突設したステー４３に挿入してナットによって位置調整可能に固定されている。
【００２２】
前記回動アーム４０の他端（前端）にはバネ４４を介して操作ワイヤー４５の一端が係止され、該操作ワイヤー４５の他端は運転席１４近傍に配置した遠隔操作具としての操作レバー４６と連結されている。該操作レバー４６は本実施例では図１に示すように脱穀装置１２の上カバー上に配置されているがサイドコラムや座席側部等に配置することも可能である。また、前記バネ４４は操作レバー４６のストロークと切換カバー２１（回動アーム４０）のストロークのバラツキを吸収するためのものである。
【００２３】
このように構成することによって、操作レバー４６を図２において左方の「閉」方向へ回動操作すると、操作ワイヤー４５が引っ張られて、バネ４４を介して回動アーム４０が回動され、回動支点軸３１を介して切換カバー２１が下方へ回動されて、投入口２３が閉じられる。逆に右方の「開」方向に操作レバー４６を回動すると、操作ワイヤー４５は戻されて、引っ張りバネ４１の付勢力によって切換カバー２１は上方に回動され、投入口２３が開けられる。
【００２４】
次に、上記切換カバー２１の開閉と、前記スライドドア３２の開閉を連結部材を介して連動する構成について、図２、図５より説明する。前記スライドドア３２の上面に設けた開閉レバー３３やピン３４やピン孔２１ｂ・２１ｃを廃止し、スライドドア３２上に枢支ピン５０を上方に突設し、該枢支ピン５０にアーム５１に設けた長孔５１ａを挿入し、座金５２を係止して、枢支ピン５０が長孔５１ａ内を摺動しても抜けないようにしている。但し、枢支ピン５０にベアリングやカラー等を外嵌して長孔５１ａとの間で摩擦抵抗を小さくすることも可能である。
【００２５】
前記アーム５１の構成は図６に示すように、先端アーム５１ｂと基部アーム５１ｃよりなり、該先端アーム５１ｂと基部アーム５１ｃは蝶番５１ｄによって回動自在に連結されている。該蝶番５１ｄはスライドドア３２が「開」位置のとき左右方向、つまり、回動支点軸３１と平行となるように、アーム５１に対して斜めに取り付けられ、図５の二点鎖線で示すように、切換カバー２１を上方へ回動せず、スライドドア３２を「閉」方向にスライドさせた状態において、蝶番５１ｄが回動支点軸３１の近傍に位置するように構成している。また、前記先端アーム５１ｂには長手方向に長孔５１ａが開口され、該長孔５１ａは先端側が狭く、基部側が幅広く構成され、後述するように切換カバー２１を上方へ回動したときに先端アーム５１ｂも同時に上方に回動する。このとき蝶番５１ｄが斜めに配置されているため枢支ピン５０と先端アーム５１ｂとの間で捻られることになり、この捩じれを吸収できるように幅広くして融通できるようにしている。
【００２６】
次に、連結部材の構成を説明する。前記基部アーム５１ｃの基部端には、連結軸５３が下方に突出して固設され、該連結軸５３は排藁カッター装置１７の後板より後方に突設した支持板５４に立設した支持パイプ５５に回転自在に枢支され、該連結軸５３は支持板５４より下方に突出して、該連結軸５３下端に回動アーム５６の中央部が固設されている。該回動アーム５６の後端５６ａにはワイヤー５７、前端５６ｂにはワイヤー５８が連結されている。該ワイヤー５７・５８の他端は前記回動アーム４０の両端と連結されている。但し、ワイヤー５７・５８の他端の連結部は回動アーム４０に限定するものではなく、操作レバー４６の基部や図示しない排藁チェーン１９の後部を覆うカバー等であってもよく、操作レバー４６の回動に連動して回動する部材であれば限定するものではない。また、前記回動アーム４０を回動操作する如く、一方は引っ張りバネ、他方はワイヤーとして、一方のワイヤーで操作する構成とすることも可能である。また、このワイヤーをモーターやシリンダー等のアクチュエーターと連結して、該アクチュエーターをスイッチと接続し、該スイッチを運転部１６近傍に配置して、遠隔操作具としてのスイッチの操作でアクチュエーターを駆動して、ワイヤーを押し引きさせる構成とすることも可能である。またこれらの構成を図７に示す実施例に適用することも可能である。
【００２７】
なお、この切換カバー２１を下方へ回動して「閉」とし、排藁を切断せずに圃場へ放出するときは、排藁が切換カバー２１上を通過するので、枢支ピン５０やアーム５１等に引っ掛かり詰まるおそれがあるので、これらの上側を通過するように、スライドドア３２上にはガイド板６０、切欠２１ａ左側方の切換カバー２１上にはガイド板６１、連結軸５３の上側方にはガイド杆６２がそれぞれ配置されている。
【００２８】
このような構成において、排藁を切断して圃場に放出するために、「開」側に前記操作レバー４６を回動すると、切換カバー２１は前述の如く上方へ回動されて投入口２３が開かれ、同時に、ワイヤー５８が引っ張られて、図５で示す二点鎖線の如く、先端アーム５１ｂが右側へ回動され、スライドドア３２も右側に摺動されて切欠２１ａが開放され、切換カバー２１の上昇回動時に切欠２１ａ部分に排藁チェーン１９が位置して両者が干渉するとはない。このとき先端アーム５１ｂは図２に示すように、蝶番５１ｄを中心に上方へ回動される。
【００２９】
そして、排藁を切断せずに圃場に放出したり、集束して圃場に放出するときには、「閉」側に前記操作レバー４６を回動すると、切換カバー２１は下方へ回動されて投入口２３が閉じられると同時に、ワイヤー５７が引っ張られて、図５で示す実線の如く、先端アーム５１ｂが左側へ回動され、スライドドア３２も左側に摺動されて切欠２１ａが塞がれる。
【００３０】
【発明の効果】
本発明は、以上の如く構成したことにより、次のような効果が得られる。
請求項１の如く、コンバインの後部に装着する排藁カッター装置（１７）の上方に切換カバー（２１）を配置し、該切換カバー（２１）の上方に排藁チェーン（１９）を配置して、前記切換カバー（２１）の開閉操作で、搬送される排藁を切断またはそのまま圃場へ放出可能とする構成において、前記排藁チェーン（１９）の下方に位置する切換カバー（２１）に切欠（２１ａ）を設け、該切換カバー（２１）上にスライドドア（３２）を摺動可能に設け、該スライドドア（３２）で切欠（２１ａ）を開閉可能とし、前記切換カバー（２１）の開閉と、該スライドドア（３２）の開閉とを連動し、該切換カバー（２１）の開閉操作部と、該スライドドア（３２）の開閉操作部をワイヤーを介して連結するとともに、該連結部材を運転席（１４）近傍に配置した遠隔操作レバー（４６）と連結した構成において、該スライドドア（３２）を開閉操作するアーム（５１）を設け、該アーム（５１）の基部アーム（５１ｃ）に連結軸（５３）を設け、該連結軸（５３）は排藁カッター装置（１７）より後方に配置した支持パイプ（５５）に回転自在に枢支し、該連結軸（５３）に回動アーム（５６）を固設し、該回動アーム（５６）にワイヤーを連結して、遠隔操作レバー（４６）と連動操作可能とし、該スライドドア（３２）上に枢支ピン（５０）を上方に突設し、該枢支ピン（５０）に前記アーム（５１）に設けた長孔（５１ａ）を挿入し、該枢支ピン（５０）が長孔（５１ａ）内を摺動可能とし、前記アーム（５１）は、先端アーム（５１ｂ）と基部アーム（５１ｃ）よりなり、該先端アーム（５１ｂ）と基部アーム（５１ｃ）を、蝶番（５１ｄ）によって回動自在に連結し、該切換カバー（２１）を上方へ回動した時に、前記先端アーム（５１ｂ）も同時に上方に回動し、前記枢支ピン（５０）と蝶番（５１ｄ）の部分で捩じれを吸収できるように構成したので、排藁を切断して圃場に放出するために、切換カバーを上方に回動して排藁をカッター装置へ導くようにした場合、上方へ回動した切換カバーの切欠は丁度排藁チェーンに位置して、切換カバーと排藁チェーンが干渉することがなく、多量に排藁が搬送されて切換カバーを上方へ押し上げても排藁チェーンに当接せず、切換カバーに損傷を与えることがなく、また、排藁チェーンをさらに後方へ延長することが可能となって、排藁を機体後端まで確実に搬送することが可能となったのである。
【００３１】
また、前記切換カバー上にスライドドアを摺動可能に設け、該スライドドアで切欠を開閉可能としたので、切換カバーを下方へ回動して、排藁を切断せずに放出するときに、切欠をスライドドアで閉じておくことによって、搬送される排藁が切欠からカッター装置内へ入って切断されたり、切欠に引っ掛かって詰まりの原因となることがないのである。
また、前記切換カバーの開閉と、スライドドアの開閉とを連動したので、切換カバーの開閉と、スライドドアの開閉とを別々に操作する必要がなくなり、また、片方の操作を忘れることもなくなり、確実に両者を同時に開閉することができるようになった。
また、前記切換カバーの開閉操作部と、スライドドアの開閉操作部を連結部材を介して連結するとともに、該連結部材を運転席近傍に配置した遠隔操作具と連結したので、遠隔操作具となる操作レバーの操作で切換カバー及びスライドドアの開閉操作ができるようになり、操作が簡単に行えるようになり、また、運転席から機体後部に配置された切換カバー及びスライドドアの開閉操作ができるようになり、操作の度に機体後部まで回る必要がなく、操作が迅速で簡単にできるようになったのである。
【００３２】
請求項２に記載の如く、請求項１記載の排藁カッター装置の切換カバーにおいて、前記蝶番（５１ｄ）は、切換カバー（２１）を上方へ回動し「開」位置で、スライドドア（３２）が「開」位置のとき左右方向、つまり、切換カバー（２１）の回動支点軸（３１）と平行となるように、前記アーム（５１）に対して斜めに取り付けたので、前記切換カバー（２１）が回動支点軸（３１）を中心に回動された場合において、アーム（５１）が回動出来ないことにより発生するアーム（５１）の捩じれを吸収することが出来るのである。
【００３３】
請求項３に記載の如く、請求項２記載の排藁カッター装置の切換カバーにおいて、前記切換カバー（２１）を上方へ回動せず「閉」位置で、該スライドドア（３２）を「閉」方向にスライドさせた状態において、蝶番（５１ｄ）が回動支点軸（３１）の近傍に位置するように構成したので、該枢支ピン５０と蝶番（５１ｄ）の部分が捻られることになり、この捩じれを、回動支点軸（３１）と蝶番（５１ｄ）の位置が近傍であることにより、幅広く吸収できるようにして、融通できるのである。
【図面の簡単な説明】
【図１】  本発明の切換カバーを装備したコンバインの全体側面図である。
【図２】  切換カバーを開けた状態のカッター装置の側面図である。
【図３】  手動でスライドカバーを開閉するようにした切換カバーの後方斜視図である。
【図４】  同じく側面図である。
【図５】  切欠を閉じた状態の切換カバーの平面図である。
【図６】  アームの平面図である。
【図７】  切換カバーの切欠を覆う他の実施例を示す図である。
【図８】  従来の切換カバー部分の側面図である。
【符号の説明】
１７  排藁カッター装置
１９  排藁チェーン
２１  切換カバー
２１ａ  切欠
３２  スライドドア
４６  操作レバー
４０・５６  回動アーム
５７・５８  ワイヤー
【図１】
0004323591.tif 000002
【図２】
0004323591.tif 000003
【図３】
0004323591.tif 000004
【図４】
0004323591.tif 000005
【図５】
0004323591.tif 000006
【図６】
0004323591.tif 000007
【図７】
0004323591.tif 000008
【図８】
0004323591.tif 000009